(57)【要約】      （修正有）【課題】電源ケーブルの脱着作業の作業性を向上させるサーバラックを提供する。【解決手段】サーバラック１０は、使用状態で左右方向に対向する一対の側板（左側板１３および右側板１４）と、一対の側板の背面側に開閉可能に取り付けられる背面扉１２と、側板の内面のうち背面側に設けられ、複数のコンセント口が形成されるコンセント面１７ａを有し、使用状態で上下方向に延在するコンセントバー１７−１〜１７−４と、を備え、コンセントバー１７−１〜１７−４は、コンセント面１７ａが左右方向に対して背面側に傾斜する方向に臨む姿勢で、側板に固定されている。【選択図】図３
0003235163.tif 000002
【実用新案登録請求の範囲】
【請求項１】
使用状態で左右方向に対向する一対の側板と、
前記一対の側板の背面側に開閉可能に取り付けられる背面扉と、
前記側板の内面のうち前記背面側に設けられ、複数のコンセント口が形成されるコンセント面を有し、前記使用状態で上下方向に延在するコンセントバーと、
を備え、
前記コンセントバーは、前記コンセント面が前記左右方向に対して前記背面側に傾斜する方向に臨む姿勢で、前記側板に固定されている、
サーバラック。
【請求項２】
使用状態で左右方向に対向する一対の側板と、
前記一対の側板の背面側に開閉可能に取り付けられる背面扉と、
前記側板の内面のうち前記背面側に設けられ、複数のコンセント口が形成されるコンセント面を有し、前記使用状態で上下方向に延在するコンセントバーと、
を備え、
前記コンセントバーは、前記上下方向の回動軸を中心として回動可能に設けられている、
サーバラック。
【考案の詳細な説明】
【技術分野】
【０００１】
本考案は、サーバラックに関する。
【背景技術】
【０００２】
従来、サーバとして機能する電子機器が収容されるサーバラックが広く利用されている。例えば、特許文献１に開示されているように、サーバラックは、前後方向に対向する前面扉および背面扉と、左右方向に対向する一対の側板と、上下方向に対向する底板および天板とを備える。このようなサーバラックの内部に、電子機器が収容される。
【先行技術文献】
【特許文献】
【０００３】
【特許文献１】特開２０１８−００６６３２号公報
【考案の概要】
【考案が解決しようとする課題】
【０００４】
ところで、サーバラック内には、一般に複数の電子機器が収容される。よって、サーバラック内には、これらの電子機器用の電源ケーブルが接続されるコンセントバーが設けられる。コンセントバーは、複数のコンセント口が形成されるコンセント面を有しており、コンセント口に電源ケーブルが接続される。コンセントバーは、側板の内面のうち背面側に設けられ、背面扉を開けた状態で、コンセントバーへの電源ケーブルの脱着が行われる。
【０００５】
ここで、コンセントバーのコンセント面の向きによっては、電源ケーブルの脱着作業を円滑に行うことが困難となり得る。特に、１つの側板に対して複数のコンセントバーを設ける場合、作業者から見て奥側のコンセントバーのコンセント面付近の視認性が悪くなること、または、作業者から見て手前側の電源ケーブルへの手指等の干渉に起因して、奥側の電源ケーブルの脱着作業の作業性が低下し得る。
【０００６】
そこで、本考案は、このような課題に鑑み、電源ケーブルの脱着作業の作業性を向上させることが可能なサーバラックを提供することを目的としている。
【課題を解決するための手段】
【０００７】
上記課題を解決するために、本考案のサーバラックは、使用状態で左右方向に対向する一対の側板と、一対の側板の背面側に開閉可能に取り付けられる背面扉と、側板の内面のうち背面側に設けられ、複数のコンセント口が形成されるコンセント面を有し、使用状態で上下方向に延在するコンセントバーと、を備え、コンセントバーは、コンセント面が左右方向に対して背面側に傾斜する方向に臨む姿勢で、側板に固定されている。
【０００８】
上記課題を解決するために、本考案のサーバラックは、使用状態で左右方向に対向する一対の側板と、一対の側板の背面側に開閉可能に取り付けられる背面扉と、側板の内面のうち背面側に設けられ、複数のコンセント口が形成されるコンセント面を有し、使用状態で上下方向に延在するコンセントバーと、を備え、コンセントバーは、上下方向の回動軸を中心として回動可能に設けられている。
【考案の効果】
【０００９】
本考案によれば、電源ケーブルの脱着作業の作業性を向上させることが可能となる。
【図面の簡単な説明】
【００１０】
【図１】本考案の第１の実施形態に係るサーバラックを示す斜視図である。
【図２】本考案の第１の実施形態に係るコンセントバーを示す平面図である。
【図３】本考案の第１の実施形態に係るサーバラックを示す断面図である。
【図４】本考案の第２の実施形態に係るサーバラックを示す断面図である。
【図５】本考案の第３の実施形態に係るサーバラックを示す断面図である。
【図６】本考案の第４の実施形態に係るサーバラックを示す断面図である。
【図７】本考案の第５の実施形態に係るサーバラックを示す断面図である。
【考案を実施するための形態】
【００１１】
以下に添付図面を参照しながら、本考案の好適な実施形態について詳細に説明する。かかる実施形態に示す寸法、材料、その他具体的な数値等は、考案の理解を容易にするための例示に過ぎず、特に断る場合を除き、本考案を限定するものではない。なお、本明細書および図面において、実質的に同一の機能、構成を有する要素については、同一の符号を付することにより重複説明を省略し、また本考案に直接関係のない要素は図示を省略する。
【００１２】
<第１の実施形態>
図１〜図３を参照して、本考案の第１の実施形態について説明する。
【００１３】
図１は、本実施形態に係るサーバラック１０を示す斜視図である。図１に示されるように、サーバラック１０は、前面扉１１と、背面扉１２と、左側板１３と、右側板１４と、底板１５と、天板１６と、複数のコンセントバー１７とを備える。サーバラック１０は、前面扉１１、背面扉１２、左側板１３、右側板１４、底板１５および天板１６により区画される略直方体の内部空間を有する。サーバラック１０内の空間に、サーバ等の複数の電子機器が収容される。例えば、サーバラック１０内の空間は、水平に配された仕切板によって上下に区画されており、各仕切板に電子機器が載置されるようになっている。なお、サーバラック１０内の空間は、複数の仕切板によって３段以上に区画されてもよく、どのように区画されるかは特に限定されない。前面扉１１または背面扉１２を開けることにより、サーバラック１０内の電子機器に外部から接触可能となる。それにより、サーバラック１０内の電子機器の操作、交換および設置が可能となる。
【００１４】
図１および後述する図２〜図７では、サーバラック１０を使用する状態（つまり、使用状態）に設置した場合における、鉛直方向である上下方向と、上下方向に直交する前後方向および左右方向とが、矢印によって示されている。使用状態で、前後方向における前側は、サーバラック１０における前面側である。使用状態で、前後方向における後側は、サーバラック１０における背面側である。使用状態で、左右方向は、左側板１３および右側板１４の一対の側板の対向方向である。なお、本明細書において、左側は、サーバラック１０を前面側から見た場合における左側を意味し、右側は、サーバラック１０を前面側から見た場合における右側を意味する。
【００１５】
左側板１３および右側板１４の一対の側板は、左右方向に対向する。左側板１３および右側板１４は、例えば、左右方向に間隔を空けて平行に配置される。以下、左側板１３および右側板１４を特に区別しない場合、単に側板とも呼ぶ。
【００１６】
底板１５は、左側板１３の下端から右側板１４の下端に亘って設けられる。天板１６は、左側板１３の上端から右側板１４の上端に亘って設けられる。底板１５および天板１６は、例えば、上下方向に間隔を空けて平行に配置される。左側板１３、右側板１４、底板１５および天板１６によって、前端および後端が開口している筒状の枠体が形成される。
【００１７】
前面扉１１は、左側板１３および右側板１４のうち前面側に開閉可能に取り付けられる。つまり、前面扉１１は、左側板１３、右側板１４、底板１５および天板１６の前端により区画される開口を開閉可能である。図１では、前面扉１１が開かれた状態が実線により示されており、前面扉１１が閉じられた状態が二点鎖線により示されている。図１の例では、前面扉１１は、右側板１４の前端の辺に沿った回動軸を中心に回動可能である。ただし、前面扉１１は、この例以外の他の動作により開閉してもよく、例えば、左側板１３の前端の辺に沿った回動軸を中心に回動可能であってもよい。
【００１８】
背面扉１２は、左側板１３および右側板１４のうち背面側に開閉可能に取り付けられる。つまり、背面扉１２は、左側板１３、右側板１４、底板１５および天板１６の後端により区画される開口を開閉可能である。図１では、背面扉１２が開かれた状態が実線により示されており、背面扉１２が閉じられた状態が二点鎖線により示されている。図１の例では、背面扉１２は、左側板１３の後端の辺に沿った回動軸を中心に回動可能である。ただし、背面扉１２は、この例以外の他の動作により開閉してもよく、例えば、右側板１４の後端の辺に沿った回動軸を中心に回動可能であってもよい。
【００１９】
コンセントバー１７には、サーバラック１０内に収容される電子機器用の電源ケーブルが接続される。コンセントバー１７は、左側板１３および右側板１４の各側板の内面のうち背面側に設けられ、使用状態で上下方向に延在する。ただし、コンセントバー１７の延在方向は、上下方向と厳密に一致しなくてもよく、例えば、上下方向に対して所定角度以下の角度だけ傾いていてもよい。コンセントバー１７は、例えば、細長い略直方体形状を有する。図１の例では、サーバラック１０に、４つのコンセントバー１７が設けられる。４つのコンセントバー１７のうちの２つのコンセントバー１７は、左側板１３の内面のうち背面側に設けられる。４つのコンセントバー１７のうちの他の２つのコンセントバー１７は、右側板１４の内面のうち背面側に設けられる。ただし、後述するように、コンセントバー１７の数および配置は、図１の例に限定されない。
【００２０】
図２は、本実施形態に係るコンセントバー１７を示す平面図である。図２に示されるように、コンセントバー１７は、コンセント面１７ａを有する。コンセント面１７ａは、コンセントバー１７の面のうちコンセントバー１７の延在方向に沿った面である。つまり、コンセント面１７ａは、上下方向に延在する。コンセント面１７ａには、複数のコンセント口１７ｂが形成される。コンセント口１７ｂは、例えば、上下方向に並んでいる。コンセント口１７ｂには、電源ケーブルが接続される。コンセント口１７ｂの形状は、電源ケーブルの端子形状に対応する形状を有している。なお、コンセントバー１７において、コンセント口１７ｂが上下に移動可能になっていてもよく、脱着可能になっていてもよい。また、コンセント口１７ｂ自体の姿勢は限定されず、例えば、コンセント口１７ｂにおいて、複数の端子穴が上下方向に並んでいてもよく、水平方向に並んでいてもよい。
【００２１】
サーバラック１０では、背面扉１２を開けた状態で、コンセントバー１７への電源ケーブルの脱着が行われる。ここで、本実施形態では、電源ケーブルの脱着作業の作業性を向上させるために、コンセントバー１７の姿勢に工夫が施されている。
【００２２】
図３は、本実施形態に係るサーバラック１０を示す断面図である。図３は、水平方向の断面についての断面図であり、サーバラック１０を上側から見た断面図である。図３では、サーバラック１０内に設けられる４つのコンセントバー１７として、コンセントバー１７−１、１７−２、１７−３、１７−４が示されている。
【００２３】
コンセントバー１７−１、１７−２は、左側板１３の内面のうち背面側に設けられる。コンセントバー１７−１は、コンセントバー１７−２よりも前面側に位置する。コンセントバー１７−３、１７−４は、右側板１４の内面のうち背面側に設けられる。コンセントバー１７−３は、コンセントバー１７−４よりも前面側に位置する。コンセントバー１７−１の前後方向位置と、コンセントバー１７−３の前後方向位置とは略一致する。コンセントバー１７−２の前後方向位置と、コンセントバー１７−４の前後方向位置とは略一致する。
【００２４】
コンセントバー１７は、左側板１３および右側板１４の各側板の内面に対して、取付具１８を介して固定されている。取付具１８は、左側板１３および右側板１４の各側板に対して１つずつ設けられている。つまり、サーバラック１０内には、合計２つの取付具１８が設けられている。左側のコンセントバー１７−１、１７−２は、左側の取付具１８を介して左側板１３の内面に固定されている。右側のコンセントバー１７−３、１７−４は、右側の取付具１８を介して右側板１４の内面に固定されている。
【００２５】
取付具１８は、側板取付部１８ａと、第１バー取付部１８ｂと、第２バー取付部１８ｃとを有する。側板取付部１８ａは、取付具１８のうち側板に固定される部分である。第１バー取付部１８ｂおよび第２バー取付部１８ｃは、取付具１８のうちコンセントバー１７が固定される部分である。
【００２６】
側板取付部１８ａは、上側から見た場合、側板の内面に沿って延在する。第１バー取付部１８ｂは、側板取付部１８ａの前端に接続される。第２バー取付部１８ｃは、側板取付部１８ａの後端に接続される。第１バー取付部１８ｂおよび第２バー取付部１８ｃは、上側から見た場合、左右方向に対して前面側に傾斜する方向に延在する。
【００２７】
左側の取付具１８では、第１バー取付部１８ｂおよび第２バー取付部１８ｃは、上側から見た場合、右前方向に延在する。左側の取付具１８の第１バー取付部１８ｂのうち右後側の面に、コンセントバー１７−１が固定される。ここで、コンセントバー１７−１のうちコンセント面１７ａと反対側の面が第１バー取付部１８ｂに固定される。ゆえに、コンセントバー１７−１のコンセント面１７ａは、右後方向に臨む姿勢となる。よって、コンセントバー１７−１に接続される電源ケーブルＣは、コンセントバー１７−１から右後方向に延びる。
【００２８】
また、左側の取付具１８の第２バー取付部１８ｃのうち右後側の面に、コンセントバー１７−２が固定される。ここで、コンセントバー１７−２のうちコンセント面１７ａと反対側の面が第２バー取付部１８ｃに固定される。ゆえに、コンセントバー１７−２のコンセント面１７ａは、右後方向に臨む姿勢となる。よって、コンセントバー１７−２に接続される電源ケーブルＣは、コンセントバー１７−２から右後方向に延びる。
【００２９】
右側の取付具１８では、第１バー取付部１８ｂおよび第２バー取付部１８ｃは、上側から見た場合、左前方向に延在する。右側の取付具１８の第１バー取付部１８ｂのうち左後側の面に、コンセントバー１７−３が固定される。ここで、コンセントバー１７−３のうちコンセント面１７ａと反対側の面が第１バー取付部１８ｂに固定される。ゆえに、コンセントバー１７−３のコンセント面１７ａは、左後方向に臨む姿勢となる。よって、コンセントバー１７−３に接続される電源ケーブルＣは、コンセントバー１７−３から左後方向に延びる。
【００３０】
また、右側の取付具１８の第２バー取付部１８ｃのうち左後側の面に、コンセントバー１７−４が固定される。ここで、コンセントバー１７−４のうちコンセント面１７ａと反対側の面が第２バー取付部１８ｃに固定される。ゆえに、コンセントバー１７−４のコンセント面１７ａは、左後方向に臨む姿勢となる。よって、コンセントバー１７−４に接続される電源ケーブルＣは、コンセントバー１７−４から左後方向に延びる。
【００３１】
以上説明したように、本実施形態では、コンセントバー１７は、コンセント面１７ａが左右方向に対して背面側に傾斜する方向に臨む姿勢で、側板に固定されている。それにより、コンセントバー１７への電源ケーブルＣの脱着を行う際に、コンセント面１７ａが左右方向に臨んでいる場合と比較して、コンセントバー１７のコンセント面１７ａ付近の視認性が改善されるので、電源ケーブルＣの脱着作業の作業性を向上させることができる。
【００３２】
特に、図３の例のように１つの側板に対して複数のコンセントバー１７を設ける場合に、電源ケーブルＣの脱着作業の作業性を適切に向上させることができる。
【００３３】
例えば、作業者から見て奥側（つまり、前面側）のコンセントバー１７のコンセント面１７ａ付近の視認性は悪くなりやすい。作業者から見て奥側のコンセントバー１７−１、１７−３のコンセント面１７ａ付近の視認性は、作業者から見て手前側（つまり、背面側）のコンセントバー１７−２、１７−４に接続される電源ケーブルＣ等によって悪くなりやすい。ここで、コンセントバー１７のコンセント面１７ａが左右方向に対して背面側に傾斜する方向に臨んでいることにより、作業者から見て奥側のコンセントバー１７のコンセント面１７ａ付近の視認性が改善される。なお、奥側のコンセントバー１７−１、１７−３への電源ケーブルＣの脱着において、電源ケーブルＣは、手前側のコンセントバー１７−２、１７−４および第２バー取付部１８ｃに干渉しないようになっている。
【００３４】
また、例えば、作業者から見て奥側（つまり、前面側）のコンセントバー１７−１、１７−３への電源ケーブルＣの脱着作業において、作業者から見て手前側（つまり、背面側）の電源ケーブルＣへの手指等の干渉が生じることが考えられる。なお、作業者から見て手前側のコンセントバー１７−２、１７−４に接続される電源ケーブルＣが、作業者から見て手前側の電源ケーブルＣに相当する。ここで、コンセントバー１７のコンセント面１７ａが左右方向に対して背面側に傾斜する方向に臨んでいることにより、各コンセントバー１７のコンセント面１７ａ付近の視認性が改善されるので、電源ケーブルＣへの手指等の干渉を抑制できる。
【００３５】
上記では、左側板１３および右側板１４の各側板に対して２つのコンセントバー１７が設けられる例を説明したが、コンセントバー１７の数および配置は、上記の例に限定されない。例えば、コンセントバー１７は、左側板１３および右側板１４のうちの一方のみに設けられていてもよい。また、例えば、各側板に対して設けられるコンセントバー１７の数は、１つでもよく、３つ以上であってもよい。なお、コンセントバー１７の数および配置が特に限定されない点は、後述する第２の実施形態、第３の実施形態、第４の実施形態および第５の実施形態においても同様である。
【００３６】
図３の例では、各側板において、前面側のコンセントバー１７の左右方向位置が、背面側のコンセントバー１７の左右方向位置よりも側板から遠くなっている（つまり、サーバラック１０の中心に近くなっている）。例えば、左側のコンセントバー１７−１、１７−２において、前面側のコンセントバー１７−１の左右方向位置が、背面側のコンセントバー１７−２の左右方向位置よりも右側に位置している。また、例えば、右側のコンセントバー１７−３、１７−４において、前面側のコンセントバー１７−３の左右方向位置が、背面側のコンセントバー１７−４の左右方向位置よりも左側に位置している。このように、前面側のコンセントバー１７の左右方向位置が、背面側のコンセントバー１７の左右方向位置よりも側板から遠くなっていることによって、作業者から見て奥側（つまり、前面側）のコンセントバー１７のコンセント面１７ａ付近の視認性がより効果的に改善される。なお、本実施形態では、コンセント面１７ａが左右方向に対して背面側に傾斜する方向に臨むようになっているので、前面側のコンセントバー１７の左右方向位置を必要以上に側板から遠ざけることなく、視認性を改善できる。ゆえに、サーバラック１０内の空間のうちコンセントバー１７により占有される空間を抑制できる。
【００３７】
ただし、各側板において、前面側のコンセントバー１７の左右方向位置と、背面側のコンセントバー１７の左右方向位置とは一致していてもよい。また、各側板において、前面側のコンセントバー１７の左右方向位置が、背面側のコンセントバー１７の左右方向位置よりも側板に近くなっていてもよい。なお、各側板において、前面側のコンセントバー１７と背面側のコンセントバー１７との左右方向の位置関係が特に限定されない点は、後述する第２の実施形態、第３の実施形態、第４の実施形態および第５の実施形態においても同様である。
【００３８】
<第２の実施形態>
図４を参照して、本考案の第２の実施形態について説明する。
【００３９】
図４は、本考案の第２の実施形態に係るサーバラック１０Ａを示す断面図である。図４は、図３と同様に、水平方向の断面についての断面図であり、サーバラック１０Ａを上側から見た断面図である。本実施形態に係るサーバラック１０Ａでは、上述したサーバラック１０と比較して、取付具１８が取付具１９に置き換えられている点が異なる。
【００４０】
サーバラック１０Ａでは、コンセントバー１７は、左側板１３および右側板１４の各側板の内面に対して、取付具１９を介して固定されている。取付具１９は、各コンセントバー１７に対して１つずつ設けられている。つまり、サーバラック１０Ａ内には、合計４つの取付具１９が設けられている。左側板１３に対しては、２つの取付具１９が固定されている。右側板１４に対しても、２つの取付具１９が固定されている。
【００４１】
取付具１９は、上側から見て三角形状を有する。取付具１９のうち側板の内面に固定される面と交差する面に、各コンセントバー１７が取り付けられる。その結果、上述したサーバラック１０と同様に、左側のコンセントバー１７−１、１７−２のコンセント面１７ａは、右後方向に臨む姿勢となり、右側のコンセントバー１７−３、１７−４のコンセント面１７ａは、左後方向に臨む姿勢となる。ゆえに、上述したサーバラック１０と同様の効果が奏される。ただし、取付具１９の形状は、図４の例に限定されず、例えば、上側から見て三角形状以外の多角形状を有していてもよく、直線および曲線の組み合わせからなる形状を有していてもよい。
【００４２】
上記のように、コンセントバー１７が側板の内面に対して取付具（例えば、上述した取付具１８または取付具１９）を介して固定される場合において、１つの取付具に対して固定されるコンセントバー１７の数は特に限定されない。例えば、１つの取付具に対して固定されるコンセントバー１７の数は３つ以上であってもよい。また、取付具の形状も、特に限定されない。例えば、取付具の形状は、上述した取付具１８および取付具１９のいずれに対しても異なっていてもよい。
【００４３】
<第３の実施形態>
図５を参照して、本考案の第３の実施形態について説明する。
【００４４】
図５は、本考案の第３の実施形態に係るサーバラック１０Ｂを示す断面図である。図５は、図３と同様に、水平方向の断面についての断面図であり、サーバラック１０Ｂを上側から見た断面図である。本実施形態に係るサーバラック１０Ｂでは、上述したサーバラック１０と比較して、取付具１８が取付具２０に置き換えられている点が異なる。
【００４５】
サーバラック１０Ｂでは、コンセントバー１７は、左側板１３および右側板１４の各側板の内面に対して、取付具２０を介して取り付けられている。取付具２０は、左側板１３および右側板１４の各側板に対して１つずつ設けられている。つまり、サーバラック１０Ｂ内には、合計２つの取付具２０が設けられている。左側のコンセントバー１７−１、１７−２は、左側の取付具２０を介して左側板１３の内面に取り付けられている。右側のコンセントバー１７−３、１７−４は、右側の取付具２０を介して右側板１４の内面に取り付けられている。
【００４６】
取付具２０は、側板取付部２０ａと、第１バー取付部２０ｂと、第２バー取付部２０ｃとを有する。側板取付部２０ａは、取付具２０のうち側板に固定される部分である。第１バー取付部２０ｂおよび第２バー取付部２０ｃは、取付具２０のうちコンセントバー１７が固定される部分である。
【００４７】
側板取付部２０ａは、側板の内面に沿って延在する。側板取付部２０ａの前端部は、当該側板から離れる方向に突出している。第１バー取付部２０ｂは、側板取付部２０ａの前端部の先端に接続される。第２バー取付部２０ｃは、側板取付部２０ａの後端に接続される。ここで、第１バー取付部２０ｂおよび第２バー取付部２０ｃは、上下方向に延在する軸Ａ１を介して側板取付部２０ａと接続されている。第１バー取付部２０ｂおよび第２バー取付部２０ｃは、軸Ａ１を中心として回動可能となっている。第１バー取付部２０ｂおよび第２バー取付部２０ｃの回動位置は、外力が入力されている間において変化し、外力が解除された場合に維持されるようになっている。例えば、第１バー取付部２０ｂおよび第２バー取付部２０ｃは、クラッチタイプの回動機構により回動可能となっている。
【００４８】
左側の取付具２０の第１バー取付部２０ｂおよび第２バー取付部２０ｃに、左側のコンセントバー１７−１およびコンセントバー１７−２がそれぞれ固定される。ゆえに、左側の取付具２０の第１バー取付部２０ｂおよび第２バー取付部２０ｃが回動することに伴って、左側のコンセントバー１７−１およびコンセントバー１７−２が回動するようになっている。図５では、左側のコンセントバー１７−１、１７−２のコンセント面１７ａは、右後方向に臨む姿勢となっている。ここで、左側のコンセントバー１７−１、１７−２が回動することによって、左側のコンセントバー１７−１、１７−２のコンセント面１７ａは、二点鎖線により示される右方向に臨む姿勢となることができる。
【００４９】
右側の取付具２０の第１バー取付部２０ｂおよび第２バー取付部２０ｃに、右側のコンセントバー１７−３およびコンセントバー１７−４がそれぞれ固定される。ゆえに、右側の取付具２０の第１バー取付部２０ｂおよび第２バー取付部２０ｃが回動することに伴って、右側のコンセントバー１７−３およびコンセントバー１７−４が回動するようになっている。図５では、右側のコンセントバー１７−３、１７−４のコンセント面１７ａは、左後方向に臨む姿勢となっている。ここで、右側のコンセントバー１７−３、１７−４が回動することによって、右側のコンセントバー１７−３、１７−４のコンセント面１７ａは、二点鎖線により示される左方向に臨む姿勢となることができる。
【００５０】
以上説明したように、本実施形態では、コンセントバー１７は、上下方向の回動軸である軸Ａ１を中心として回動可能に設けられている。それにより、コンセントバー１７を、コンセント面１７ａが左右方向に臨む姿勢となる状態と、コンセント面１７ａが左右方向に対して背面側に傾斜する方向に臨む姿勢となる状態との間で切り替えることができる。ゆえに、背面扉１２を開けて電源ケーブルＣの脱着作業を行う場合に、コンセント面１７ａが左右方向に対して背面側に傾斜する方向に臨む姿勢になるように、コンセントバー１７を回動させることができる。それにより、上述したサーバラック１０と同様に、電源ケーブルＣの脱着作業の作業性を向上させることができる。そして、電源ケーブルＣの脱着作業が終わった後に、コンセント面１７ａが左右方向に臨む姿勢になるように、コンセントバー１７を回動させることができる。それにより、コンセントバー１７に接続された電源ケーブルＣをサーバラック１０Ｂ外にはみ出ないように適切に収容することができる。
【００５１】
ただし、コンセントバー１７の上記回動軸は、上下方向と厳密に一致しなくてもよく、例えば、上下方向に対して所定角度以下の角度だけ傾いていてもよい。また、コンセントバー１７の上記回動軸とコンセントバー１７との位置関係は、上記の例に限定されず、例えば、コンセントバー１７の上記回動軸とコンセントバー１７の中心軸とが同軸上に位置してもよい。なお、コンセントバー１７の上記回動軸が上下方向と厳密に一致しなくてもよい点、および、コンセントバー１７の上記回動軸とコンセントバー１７との位置関係が特に限定されない点は、後述する第４の実施形態および第５の実施形態においても同様である。
【００５２】
<第４の実施形態>
図６を参照して、本考案の第４の実施形態について説明する。
【００５３】
図６は、本考案の第４の実施形態に係るサーバラック１０Ｃを示す断面図である。図６は、図３と同様に、水平方向の断面についての断面図であり、サーバラック１０Ｃを上側から見た断面図である。本実施形態に係るサーバラック１０Ｃでは、上述したサーバラック１０と比較して、取付具１８が取付具２１に置き換えられている点が異なる。
【００５４】
サーバラック１０Ｃでは、コンセントバー１７は、左側板１３および右側板１４の各側板の内面に対して、取付具２１を介して取り付けられている。取付具２１は、各コンセントバー１７に対して１つずつ設けられている。つまり、サーバラック１０Ｃ内には、合計４つの取付具２１が設けられている。左側板１３に対しては、２つの取付具２１が設けられている。右側板１４に対しても、２つの取付具２１が設けられている。
【００５５】
取付具２１は、バー取付部２１ａと、ストッパ２１ｂとを有する。バー取付部２１ａは、取付具２１のうちコンセントバー１７が固定される部分である。バー取付部２１ａは、上下方向に延在する軸Ａ２を介して側板と接続されている。バー取付部２１ａは、軸Ａ２を中心として回動可能となっている。バー取付部２１の回動位置は、ストッパ２１ｂによって固定される。例えば、ストッパ２１ｂの一端がバー取付部２１に回動可能に接続されており、ストッパ２１ｂの他端が側板に係止されるようになっている。ただし、ストッパ２１ｂの一端が側板に回動可能に接続されており、ストッパ２１ｂの他端がバー取付部２１に係止されるようになっていてもよい。ストッパ２１ｂは、例えば、フレキ素材により形成される。
【００５６】
各取付具２１のバー取付部２１ａに、各コンセントバー１７がそれぞれ固定される。ゆえに、各取付具２１のバー取付部２１ａが回動することに伴って、各コンセントバー１７が回動するようになっている。
【００５７】
図６では、左側のコンセントバー１７−１、１７−２のコンセント面１７ａが、右後方向に臨む姿勢となっており、右側のコンセントバー１７−３、１７−４のコンセント面１７ａが、左後方向に臨む姿勢となっている。ここで、上述したサーバラック１０Ｂと同様に、左側のコンセントバー１７−１、１７−２が回動することによって、左側のコンセントバー１７−１、１７−２のコンセント面１７ａは、二点鎖線により示される右方向に臨む姿勢となることができる。また、右側のコンセントバー１７−３、１７−４が回動することによって、右側のコンセントバー１７−３、１７−４のコンセント面１７ａは、二点鎖線により示される左方向に臨む姿勢となることができる。
【００５８】
以上説明したように、本実施形態では、上述したサーバラック１０Ｂと同様に、コンセントバー１７は、上下方向の回動軸である軸Ａ２を中心として回動可能に設けられている。それにより、上述したサーバラック１０Ｂと同様の効果が奏される。
【００５９】
上記のように、コンセントバー１７が側板の内面に対して取付具（例えば、上述した取付具２０または取付具２１）を介して取り付けられることにより各コンセントバー１７が回動可能となる場合において、１つの取付具に対して取り付けられるコンセントバー１７の数は特に限定されない。例えば、１つの取付具に対して取り付けられるコンセントバー１７の数は３つ以上であってもよい。また、取付具の形状も、特に限定されない。例えば、取付具の形状は、上述した取付具２０および取付具２１のいずれに対しても異なっていてもよい。また、取付具のうちコンセントバー１７が固定される部分の回動位置は、上述したサーバラック１０Ｃのようにストッパにより固定されてもよく、上述したサーバラック１０Ｂのようにストッパによらずに固定されてもよい。
【００６０】
<第５の実施形態>
図７を参照して、本考案の第５の実施形態について説明する。
【００６１】
図７は、本考案の第５の実施形態に係るサーバラック１０Ｄを示す断面図である。図７は、図３と同様に、水平方向の断面についての断面図であり、サーバラック１０Ｄを上側から見た断面図である。本実施形態に係るサーバラック１０Ｄでは、上述したサーバラック１０と比較して、取付具１８が取付具２２に置き換えられている点が異なる。
【００６２】
サーバラック１０Ｄでは、コンセントバー１７は、左側板１３および右側板１４の各側板の内面に対して、取付具２２を介して取り付けられている。取付具２２は、左側板１３および右側板１４の各側板に対して１つずつ設けられている。つまり、サーバラック１０Ｄ内には、合計２つの取付具２２が設けられている。左側のコンセントバー１７−１、１７−２は、左側の取付具２２を介して左側板１３の内面に取り付けられている。右側のコンセントバー１７−３、１７−４は、右側の取付具２２を介して右側板１４の内面に取り付けられている。
【００６３】
取付具２２は、バー取付部２２ａと、ストッパ２２ｂとを有する。バー取付部２２ａは、取付具２２のうちコンセントバー１７が固定される部分である。バー取付部２２ａは、上下方向に延在する軸Ａ３を介して側板と接続されている。バー取付部２２ａは、軸Ａ３を中心として回動可能となっている。バー取付部２２ａの回動位置は、ストッパ２２ｂによって固定される。例えば、ストッパ２２ｂの一端がバー取付部２２ａに回動可能に接続されており、ストッパ２２ｂの他端が側板に係止されるようになっている。ただし、ストッパ２２ｂの一端が側板に回動可能に接続されており、ストッパ２２ｂの他端がバー取付部２２ａに係止されるようになっていてもよい。ストッパ２２ｂは、例えば、フレキ素材により形成される。
【００６４】
左側の取付具２２のバー取付部２２ａに、左側のコンセントバー１７−１およびコンセントバー１７−２が固定される。ゆえに、左側の取付具２２のバー取付部２２ａが回動することに伴って、左側のコンセントバー１７−１およびコンセントバー１７−２が回動するようになっている。右側の取付具２２のバー取付部２２ａに、右側のコンセントバー１７−３およびコンセントバー１７−４が固定される。ゆえに、右側の取付具２２のバー取付部２２ａが回動することに伴って、右側のコンセントバー１７−３およびコンセントバー１７−４が回動するようになっている。
【００６５】
図７では、左側のコンセントバー１７−１、１７−２のコンセント面１７ａが、右後方向に臨む姿勢となっており、右側のコンセントバー１７−３、１７−４のコンセント面１７ａが、左後方向に臨む姿勢となっている。ここで、上述したサーバラック１０Ｂと同様に、左側のコンセントバー１７−１、１７−２が回動することによって、左側のコンセントバー１７−１、１７−２のコンセント面１７ａは、二点鎖線により示される右方向に臨む姿勢となることができる。また、右側のコンセントバー１７−３、１７−４が回動することによって、右側のコンセントバー１７−３、１７−４のコンセント面１７ａは、二点鎖線により示される左方向に臨む姿勢となることができる。
【００６６】
以上説明したように、本実施形態では、上述したサーバラック１０Ｂと同様に、コンセントバー１７は、上下方向の回動軸である軸Ａ３を中心として回動可能に設けられている。それにより、上述したサーバラック１０Ｂと同様の効果が奏される。
【００６７】
上述したサーバラック１０Ｂ、１０Ｃでは、各コンセントバー１７が互いに異なる回動軸を中心に回動可能となっていた。つまり、各コンセントバー１７の回動軸が互いに異なっていた。ただし、サーバラック１０Ｄのように、複数のコンセントバー１７が同一の回動軸を中心に回動可能となっていてもよい。つまり、複数のコンセントバー１７が同一の回動軸を共有してもよい。
【００６８】
以上、添付図面を参照しつつ本考案の好適な実施形態について説明したが、本考案は上述した実施形態に限定されないことは勿論であり、実用新案登録請求の範囲に記載された範疇における各種の変更例または修正例についても、本考案の技術的範囲に属することは言うまでもない。
【符号の説明】
【００６９】
１０  サーバラック
１０Ａ  サーバラック
１０Ｂ  サーバラック
１０Ｃ  サーバラック
１０Ｄ  サーバラック
１１  前面扉
１２  背面扉
１３  左側板（側板）
１４  右側板（側板）
１５  底板
１６  天板
１７  コンセントバー
１７−１  コンセントバー
１７−２  コンセントバー
１７−３  コンセントバー
１７−４  コンセントバー
１７ａ  コンセント面
１７ｂ  コンセント口
１８  取付具
１９  取付具
２０  取付具
２１  取付具
２２  取付具
Ａ１  軸（回転軸）
Ａ２  軸（回転軸）
Ａ３  軸（回転軸）
Ｃ  電源ケーブル
【図１】
0003235163.tif 000003
【図２】
0003235163.tif 000004
【図３】
0003235163.tif 000005
【図４】
0003235163.tif 000006
【図５】
0003235163.tif 000007
【図６】
0003235163.tif 000008
【図７】
0003235163.tif 000009